(57)【特許請求の範囲】
【請求項１】
コンクリート基礎の側面に断熱材を配置した基礎断熱構造であって、断熱材の下端領域が下記ａ）〜ｅ）の構成を少なくとも備えた自己保持性を備える材料からなる防虫成形体で覆われた状態で、かつ、前記防虫成形体のコンクリート係止部をコンクリート基礎に埋め込んだ状態で、当該断熱材がコンクリート基礎の側面に配置されていることを特徴とする基礎断熱構造。
ａ）断熱材の少なくとも地中に埋設される外側面を覆う平板状の外側防虫部、
ｂ）断熱材の下端面を覆う平板状の下端防虫部、
ｃ）断熱材の内側面を覆うようにして下端防虫部から立ち上がる平板状のコンクリート流入防止部、
ｄ）下端防虫部またはコンクリート流入防止部から水平より上向きの斜め上方に立ち上がるコンクリート係止部、
ｅ）コンクリート流入防止部に設けられた断熱材を固定する突起。
【請求項２】
２枚以上の防虫成形体が用いられており、隣接する防虫成形体の端縁同士は、双方の端縁を嵌合する嵌合係止部を両側に持つ接合材により、連結されていることを特徴とする請求項１に記載の基礎断熱構造。
【請求項３】
断熱材の外壁面であって、防虫成形体の外側防虫部で覆われている領域よりも上方の領域は、外装材によって覆われていることを特徴とする請求項１または２に記載の基礎断熱構造。
【請求項４】
断熱材の上端面が防虫板で覆われていることを特徴とする請求項１〜３のいずれかに記載の基礎断熱構造。
【請求項５】
コンクリート基礎の側面に断熱材を配置した基礎断熱構造で用いる自己保持性を備える材料からなる防虫成形体であって、下記ａ）〜ｅ）の構成を少なくとも備えた防虫成形体。
ａ）断熱材の少なくとも地中に埋設される外側面を覆う平板状の外側防虫部、
ｂ）断熱材の下端面を覆う平板状の下端防虫部、
ｃ）断熱材の内側面を覆うようにして下端防虫部から立ち上がる平板状のコンクリート流入防止部、
ｄ）下端防虫部またはコンクリート流入防止部から水平より上向きの斜め上方に立ち上がるコンクリート係止部、
ｅ）コンクリート流入防止部に設けられた断熱材を固定する突起。
【請求項６】
コンクリート係止部には貫通孔が形成されていることを特徴とする請求項５に記載の防虫成形体。
【請求項７】
全体が無機系材料の成形品であることを特徴とする請求項５または６に記載の防虫成形体。
【請求項８】
全体が樹脂系材料の成形品であることを特徴とする請求項５または６に記載の防虫成形体。
【発明の詳細な説明】
【技術分野】
【０００１】
本発明は、建物のコンクリート基礎の断熱構造、特に防虫・防蟻機能を備えた基礎断熱構造と、そこで用いる防虫成形体に関する。
【背景技術】
【０００２】
近年、省エネルギーを目的に、建築物のコンクリート基礎の外側面あるいは内側面に断熱材を配置することが行われる。コンクリート基礎は、布基礎の場合もあり、べた基礎の場合ある。断熱材として、主に板状の合成樹脂発泡体が用いられるが、グラスウールやロックウールなどの無機系材料をボード状に成形したものも用いられている。コンクリート基礎の側面に配置した断熱材の一部が地中にある場合、害虫、特に白蟻の被害を受けることがある。
【０００３】
例えば、断熱材が合成樹脂発泡体の場合、白蟻によって食い破られ、白蟻の習性から、下方から上方に向けて断熱材に蟻道が形成される。それにより、断熱性能が低下すると共に、そこを通って白蟻はコンクリート基礎に載っている木土台に被害を与える。断熱材がグラスウールやロックウールなどの場合には、内部に存在する空隙を通って白蟻が上方にはい上がっていき、やはり木土台に被害を与える。
【０００４】
そのために、コンクリート基礎の側面に配置した断熱材が白蟻の被害を受けないようにした基礎断熱構造がいくつか提案されている。例えば、特許文献１や特許文献２には、型枠を組むときに、コンクリート基礎の側面に配置すべき断熱材の室外側表面を防蟻シートで覆うと共に、防蟻シートの下端側を断熱材の裏面に回り込ませておき、その状態でコンクリート基礎用のコンクリートを打設することにより、防蟻シートの下端縁をコンクリート基礎（布基礎）に食い込ませるようにしている。それにより、断熱材の表面および下端面と布基礎との間から白蟻が断熱材に向けて入り込むのを防止している。
【０００５】
特許文献３には、施工後の建物の布基礎の屋外側に基礎断熱材を取り付けるようにした基礎断熱構造が記載されており、布基礎の立ち上がり部の付け根部に、金属板や樹脂板を屈曲成形して形成した白蟻遮蔽板を置き、その上に、基礎断熱板と表面化粧材とを取り付けるようにしている。また、必要な場合には白蟻遮蔽板と布基礎との間を、防蟻性シーリング材でシールするようにしている。この白蟻遮蔽板（および防蟻性シーリング材）によって、断熱材の下端面と布基礎との間から白蟻が断熱材に向けて入り込むのをやはり阻止している。
【０００６】
【特許文献１】特開平１１−３５０５０２号公報
【特許文献２】特開２０００−２７３９７７号公報
【特許文献３】特開２００５−２３５９３号公報
【発明の開示】
【発明が解決しようとする課題】
【０００７】
特許文献１あるいは特許文献２に記載のものは、コンクリート基礎用のコンクリートの打設と同時に防蟻シートをコンクリート基礎に一体化するようにしており、作業性は向上する。また、防蟻シートの下端縁をコンクリート基礎（布基礎）に食い込ませるようにしており、食い込みが十分な場合には、白蟻がコンクリート基礎との間を通って断熱材にまで到達するのを防止することができる。しかし、防蟻シートはシート状のものであり十分な剛性を備えないことから、コンクリートの打設圧によって変形しやすく、そのために、コンクリート打設時に防蟻シートの下端縁を適切な位置に、かつ所要の奥行きを持って食い込ませることは、事実上不可能である。そのために、断熱材の下端部とコンクリート基礎との間の取り付け安定性が不十分になると共に、白蟻の浸入を許してしまうことが起こり得る。
【０００８】
特許文献３に記載のものは、完成した布基礎の側面に後作業で白蟻遮蔽板や基礎断熱板を取り付けるようにしており、作業量が大きくなる。また、白蟻遮蔽板と布基礎の立ち上がり部とは単に接しているだけであり、位置ずれが起きやすい。さらに、後作業で白蟻遮蔽板などの取り付けを行うことから、布基礎と白蟻遮蔽板（あるいは防蟻性シーリング材）との間に隙間が生じやすく、蟻の進入路が形成される恐れがある。防蟻性シーリング材のやせや劣化も生じる。
【０００９】
本発明は、上記のような事情に鑑みてなされたものであり、コンクリート打設時に、コンクリート基礎に対する断熱板の配置と当該断熱板に対する防虫措置とを同時に行うことができ、同時に、断熱板および防虫措置に用いる防虫成形体のコンクリート基礎に対する取り付け安定性も向上させた、より改良された基礎断熱構造、およびそこで用いられる防虫成形体を提供することを目的とする。
【課題を解決するための手段】
【００１０】
本発明によるコンクリート基礎の側面に断熱材を配置した基礎断熱構造は、断熱材の下端領域が下記ａ）〜ｄ）の構成を少なくとも備えた防虫成形体で覆われた状態で、かつ、防虫成形体のコンクリート係止部をコンクリート基礎に埋め込んだ状態で、断熱材がコンクリート基礎の側面に配置されていることを特徴とする。
【００１１】
ａ）断熱材の少なくとも地中に埋設される外側面を覆う外側防虫部、
ｂ）断熱材の下端面を覆う下端防虫部、
ｃ）断熱材の内側面を覆うようにして下端防虫部から立ち上がるコンクリート流入防止部、
ｄ）下端防虫部またはコンクリート流入防止部から水平より上向きの斜め上方に立ち上がるコンクリート係止部。
【００１２】
さらに、本発明は、上記したコンクリート基礎の側面に断熱材を配置した基礎断熱構造で用いる防虫成形体であって、下記ａ）〜ｄ）の構成を少なくとも備えた防虫成形体をも開示する。
【００１３】
ａ）断熱材の少なくとも地中に埋設される外側面を覆う外側防虫部、
ｂ）断熱材の下端面を覆う下端防虫部、
ｃ）下端防虫部から立ち上がるコンクリート流入防止部、
ｄ）下端防虫部またはコンクリート流入防止部から水平より上向きの斜め上方に立ち上がるコンクリート係止部。
【００１４】
本発明による基礎断熱構造では、その構築に際して、コンクリート基礎用の型枠を組むときに、当該コンクリート基礎の側面であって断熱材を配置すべき場所に、断熱材をその下端部が、上記構成ａ）〜ｄ）を備えた防虫成形体のソケット部、すなわち外側防虫部と下端防虫部とコンクリート流入防止部で形成される部分に挿入した状態で、かつ前記コンクリート係止部がコンクリート打設空間側になるようにして配置する。
【００１５】
断熱材および防虫成形体を一体化した状態で型枠を組んだ後、型枠内にコンクリートを打設する。打設したコンクリートは、防虫成形体の前記コンクリート係止部を飲み込むようにして、コンクリート打設空間に入り込んでいく。必要な場合には、加振しながらコンクリートの充填を行う。断熱材のコンクリート打設空間側（内側面）の下端面領域は、断熱材の内側面を覆うようにして下端防虫部から立ち上がるコンクリート流入防止部と密接しており、その間にコンクリートが入り込むことはなく、打設したコンクリートの浮力によって断熱材が浮き上がることはない。
【００１６】
打設したコンクリートが硬化した状態では、防虫成形体の前記コンクリート係止部がコンクリート内に不動の状態で確実に入り込んでおり、コンクリート基礎と防虫成形体との取り付け態様はきわめて安定する。結果として、コンクリート基礎と断熱材との取り付け態様も安定する。
【００１７】
断熱材の少なくとも地中に埋設される外側面は、防虫成形体の外側防虫部で覆われており、そこから断熱材に害虫が浸入することはない。断熱材の下端面は、防虫成形体の下端防虫部で覆われており、しかも、打設したコンクリートは前記下端防虫部に密着した状態で硬化するので、断熱材の下端面とコンクリート基礎との間には隙間は形成されず、そこから害虫がコンクリート基礎側に侵入することはない。万が一、侵入して、防虫成形体のコンクリート流入防止部とコンクリート基礎の間を上っていっても、防虫成形体のコンクリート流入防止部が大きな障害となり、それ以上の害虫の侵入は阻止される。
【００１８】
上記のようであり、本発明による基礎断熱構造は、施工が簡素化できると共に、害虫が断熱材を通って建物の木基礎にまで到達するのをほぼ完全に阻止することができる。
【００１９】
本発明による基礎断熱構造において、２枚以上の防虫成形体が横方向に配置して用いられる場合には、隣接する防虫成形体の端縁同士は、双方の端縁を嵌合する嵌合係止部を両側に持つ接合材により、好ましくは連結される。このような接合体を用いて連結することにより、隣接する防虫成形体の接合面から断熱材側に害虫が侵入するのを効果的に防止することができる。
【００２０】
本発明による基礎断熱構造において、断熱材の外壁面であって、防虫成形体の外側防虫部で覆われている領域よりも上方の領域は、外装材によって覆われることが望ましい。それにより、断熱材の保護はより完全なものとなる。外装材には、スレート、モルタル、コンクリートなど一般に建築物外装材として用いられる材料を用いればよい。これらの外装材を、断熱材面へ接着、塗付、吹付等によって取り付ける。モルタルなど水硬化性材料を塗布する場合には、ラス金網、メッシュなど用いることが有効であり、クラックが生じるのを効果的に防止することができる。
【００２１】
また、建物の構造によっては、断熱材の上端面を防虫板で覆うことも望ましい。それにより、断熱材の上端面からの害虫の侵入も阻止することができ、害虫対策はより完全なものとなる。防虫板の素材は、防虫成形体と同素材であってもよく、もしくは市販の防蟻シートを用いることもできる。
【００２２】
本発明による基礎断熱構造において、断熱材の素材に特に制限はないが、高断熱性、施工の容易性などから、好ましくは、ポリスチレンフォーム、ポリウレタンフォーム、ポリエチレンフォーム、ポリプロピレンフォーム、フェノールフォームなどの合成樹脂発泡体が挙げられる。発泡倍率は必要断熱性能に応じて任意に選定できる。グラスウール、ロックウールなどのボード状無機系断熱材も使用することができる。
【００２３】
本発明による基礎断熱構造において使用する防虫成形体の素材は、所要の自己保型性と強度を備える材料であって、シロアリ、ヒラタキクイムシ、ナガシンクイ、シバンムシなどである建材に対する害虫が食い破ることができず、また、それら害虫の分泌物に侵されない素材であれば任意であり、例として、ステンレスのような金属、セラミック、セメント製品などの無機系成形体、ＦＲＰ、ポリスチレン、ポリ塩化ビニル、ポリカーボネートなどのプラスチック系成形体が挙げられる。成形性の点からは、プラスチック系成形体が好ましい。
【００２４】
防虫成形体の厚みは、材質にもよるが１〜５ｍｍ程度のものがよい。１ｍｍ以下の場合には、剛性が不足してコンクリート打設時に変形してしまう可能性があり、また５ｍｍ以上である場合、型枠合板との隙間が大きくなり施工に支障を来たす恐れがある。ただし、この場合でも、断熱材と型枠間の隙間を面材により調整すれば問題は解消する。
【００２５】
防虫成形体における前記水平より上向きの斜め上方に立ち上がるコンクリート係止部の水平より上向き斜め上方の角度範囲は、２０〜８０度の範囲がよく、３０〜６０度の範囲が好適である。２０度以下である場合は、コンクリート打設時に、コンクリート係止部の下側にコンクリートが廻りずらくなる。８０度以上であるとコンクリート係止部の上側にコンクリートが詰まりずらくなって空洞ができる恐れがあり好ましくない。また、コンクリート係止部の長さは、１０ｍｍ以上が望ましく、２０〜３０ｍｍの範囲がより好適である。１０ｍｍ以下であると基礎コンクリートへの付着性が不十分となる恐れがある。また、３０ｍｍ以上となると、裏面へのコンクリートの充填が不十分となる恐れがある。
【００２６】
防虫成形体において、コンクリート係止部に貫通孔が形成されていることは好ましい。該貫通孔を通過して打設したコンクリートがコンクリート係止部の下側に流入しやすくなり、また逆に内部の空気を放出しやすくなることから、コンクリート係止部の周囲におけるコンクリートの充填は一層確実となる。前記貫通孔の形や大きさは、コンクリートが流れ込む形状であればどのような形状でもよい。流動性を挙げるため、半円、台形、三角形で、底辺がコンクリート係止部の付け根部であることが望ましい。大きさは特に規定しないが１０〜２０ｍｍ程度が望ましい。
【００２７】
好ましくは、防虫成形体における前記コンクリート流入防止部に断熱材を固定する突起が設けられる。突起は斜め下方向に突出した三角形状であることが好ましく、１辺が５〜１０ｍｍ程度の大きさが望ましい。これよりも小さいと断熱材を固定する効果が薄れ、これよりも大きいと断熱材の挿入性が悪くなる。
【発明の効果】
【００２８】
本発明による基礎断熱構造は、断熱材下端にコンクリートへ埋設される突起部を持つ防虫成形体を取り付け、それを基礎型枠内にセットして、コンクリートを流し込むことにより構築されるので、防虫成形体が基礎コンクリートと強固に密着するようになり、これにより害虫が進入する隙間を完全にふさぐことが可能となる。
【発明を実施するための最良の形態】
【００２９】
以下、図面を参照しながら本発明をいくつかの実施の形態に基づき説明する。最初に、本発明による基礎断熱構造で使用する防虫成形体と、隣接する防虫成形体の端縁同士を接合するのに使用する接合材について説明する。図１〜図３は防虫成形体を説明する斜視図であり、図４は接合材の斜視図である。
【００３０】
図１ａは防虫成形体の一例を斜視図で示しており、図１ｂは図１ａのｂ−ｂ線に沿う断面図である。この例において、防虫成形体１は厚さ２ｍｍ程度のステンレスの押出成形品であり、構築する基礎断熱構造で使用される断熱材の少なくとも地中に埋設される外側面を密接した状態で覆うこととなる平板状の外側防虫部２と、該断熱材の下端面をやはり密接した状態で覆うこととなる、前記外側防虫部２の下端部から水平方向に延出する下端防虫部３と、該断熱材の内側面を密接した状態で覆うこととなる、前記下端防虫部から上方に立ち上がるコンクリート流入防止部４、とを備えている。
【００３１】
前記コンクリート流入防止部４の外側面には、水平面からほぼ４５度の角度で上向きの斜め上方に立ち上がるコンクリート係止部５が一体形成されており、また、前記コンクリート流入防止部４とコンクリート係止部５との接続部におけるコンクリート係止部５側には、所定の間隔をおいて、半径１０〜２０ｍｍ程度の複数個の半円状の貫通孔６が形成されている。なお、貫通孔６の形状は半円状に限ることなく任意であってよく、また、貫通孔６そのものを省略することもできる。
【００３２】
防虫成形体１の寸法は、基礎断熱構造で使用する断熱材の下端部側が、防虫成形体１のソケット部、すなわち外側防虫部２と下端防虫部３とコンクリート流入防止部４で形成される部分に、密接した状態で挿入される大きさに、適宜設定される。長手方向の長さは任意であってよく、必要な場合には、施工現場において後記する接合材により２個以上の防虫成形体１を接続して用いられる。コンクリート流入防止部４の突出距離は、２０〜３０ｍｍ程度であることが好ましい。また、図示しないが、コンクリート係止部５は、コンクリート流入防止部４の最下端部、言い換えれば、前記下端防虫部３から延出するようにして形成されていてもよい。
【００３３】
図２は防虫成形体の他の例を示している。この防虫成形体１Ａは、コンクリート流入防止部４に、内側斜め下方向に突出した１辺が５〜１０ｍｍ程度の三角形状の突起７を所定間隔をおいて形成している点で、図１に示した防虫成形体１と相違している。他の部材は図１に示した防虫成形体１と同じであり、同じ符号を付している。防虫成形体１Ａに断熱材を組み付けたときに、突起７は断熱材に差し込まれた状態となり、断熱材の不要な移動を阻止することができる。
【００３４】
図３は防虫成形体のさらに他の例を示している。この防虫成形体１Ｂは、コンクリート係止部５に第２のコンクリート係止部８が一体形成されている点で、図１に示した防虫成形体１と相違している。他の部材は図１に示した防虫成形体１と同じであり、同じ符号を付している。この第２のコンクリート係止部８は、コンクリート係止部５と打設するコンクリートとの接触面積を大きくして、防虫成形体１の安定化を図るためのものであり、図示の例では、第２のコンクリート係止部８はコンクリート係止部５の上面に１枚の垂直状の板片として形成されているが、その個数や形状はこれに限らない。コンクリート係止部５の下面側に設けることもできる。
【００３５】
施工現場において、上記した防虫成形体１（または、１Ａ、１Ｂ）が横方向に連続して配置されることがある。図４はそのときに必要に応じて用いられる接合材を示しており、図４ａは斜視図、図４ｂは図４ｂのｂ−ｂ線に沿う断面図である。接合材１０は防虫成形体１と同様な素材で作られており、全体として、防虫成形体１とほぼ同じ断面形状を有している。横幅Ｗは１０〜２０ｃｍ程度のものであり、図４ａに示すように、その左右の両側には、接続しようとする２枚の防虫成形体１ａ、１ｂの端縁が内嵌合する嵌合係止部１１ａ、１１ｂが形成されている。図示しないが、断熱基礎構造での角部（出隅部、入隅部）において、左右の防虫成形体１ａ、１ｂを接続できるように、嵌合係止部１１ａ、１１ｂが９０度の角度で交差する方向とされている接合体を採用することもできる。
【００３６】
次ぎに、上記した防虫成形体１を用いて構築される基礎断熱構造を説明する。最初に、基礎断熱構造のための型枠を作る。図５は、コンクリート基礎が布基礎２０の場合の型枠の一例を示しており、合板型枠を用いて、布基礎の拡大基礎部２１の打ち込み型枠３１と、立ち上がり部２２の打ち込み型枠３２を建て込む。そのとき、断熱材４０を配置すべきコンクリート基礎（布基礎）の側壁となる部分、図５に示す例では、立ち上がり部２２の右側の側壁部分に対応する打ち込み型枠３２ａのコンクリート打ち込み空間側に、例えば合成樹脂発泡体製の断熱材４０を配置する。断熱材４０を配置するに際し、断熱材４０の下端側に前記した防虫成形体１を嵌め込み、嵌め込んだ防虫成形体１のコンクリート流入防止部２側がコンクリート打ち込み空間側となるようにして、打ち込み型枠３２ａに一体化する。なお、図５において、２３は割栗、２４はコンクリート基礎（布基礎）のための鉄筋、３３は縦端材、３４は横端材、３５は型枠用留め金具、３６はセパレータ、３７はジョイナであり、いずれも、従来からコンクリート基礎などの型枠形成材として用いられているものである。
【００３７】
図５に示すようにして型枠を建て込んだ後、コンクリート打ち込み空間内に現場打ちコンクリートを打設する。コンクリートは、コンクリート流入防止部４に形成したコンクリート係止部５を回り込むようにして、また、そこに形成した貫通孔６を通過しながら、型枠内に流入していく。打設したコンクリートが硬化することにより、断熱材４０は防虫成形体１と共にコンクリートと一体化する。硬化の過程で、防虫成形体１の下端防虫部３は拡大基礎部２１となるコンクリート表面と密着した状態となり、また、コンクリート流入防止部４に形成したコンクリート係止部５は、硬化したコンクリート内に埋め込まれた状態となって、しっかりと固定される。それにより、防虫成形体１とそこに嵌め込んだ断熱材４０は、コンクリート基礎の側面に対して安定的に固定される。
【００３８】
図６は、型枠を脱型した後のコンクリート基礎（布基礎）２０の上に、断熱材４０側が外側となるようにして木造家屋５０を建てた場合の一例を示している。脱型後に土２４が埋め戻され、コンクリート基礎２０の拡大基礎部２１と立ち上がり部２２の途中までが土の中に埋設される。図示の例では、断熱材４０に取り付けた防虫成形体１の外側防虫部２の途中がグランドレベルＧとなる高さまで、土が埋め戻されている。
【００３９】
コンクリート基礎２０の立ち上がり部２２の上には、木造家屋５０の木基礎５１が横置きされ、大引き５２や根太５３が取り付けられて、その上に床材５４が敷き込まれる。また、木基礎５１には柱５５が立てられ、柱５５の外側面には断熱材４１が取り付けられると共に、その断熱材４１とコンクリート基礎２０の立ち上がり部２２の側面に取り付けた断熱板４０を覆うようにして、外壁材５６が取り付けてある。図示のように、外壁材５６は、断熱板４０の外側面であって防虫成形体１の外側防虫部２によって被覆されていない部分のすべてを覆うようにされている。
【００４０】
このコンクリート基礎構造を備えた木造家屋５０では、断熱材４０の外側面であって地中に埋設している部分は防虫成形体１の外側防虫部２によって被覆されており、その面から白蟻のような害虫が断熱材４０が入り込むことはない。断熱材４０の下端面も防虫成形体１の下端防虫部３に覆われており、かつ下端防虫部３はコンクリート基礎２０の拡大基礎部２１の上面に密着しているので、そこから白蟻が断熱材４０内に入り込むこともない。万が一、そこから入り込んだとしても、防虫成形体１のコンクリート流入防止部４に取り付けたコンクリート係止部５の存在により、防虫成形体１はコンクリート基礎２０の立ち上がり部２２にしっかりと定着した状態となっており、裏面側から白蟻が断熱材４０内に入り込むこともない。そのために、蟻道の形成によって断熱性４０の断熱性が低下することはなく、また、木造家屋５０の木基礎５１などが白蟻による被害を受けることもほぼ完全に回避することができる。
【００４１】
図７は、本発明による基礎断熱構造の他の例を示している。この例では、コンクリート基礎（布基礎）２０の外側面全面に断熱材４０Ａが取り付けられ、該断熱材４０の下端領域に防虫成形体１Ａが取り付けられている。他の構成は図６に示したものと同じであり、同じ部材には同じ符号を付している。すなわち、ここでは、断熱材４０Ａは、コンクリート基礎２０の立ち上がり部２２の側壁を覆う第１の断熱材４２、拡大基礎部２１の上面を覆う第２の断熱材４３、拡大基礎部２１の側面を覆う第３の断熱材４４とで構成されている。そして、防虫成形体１Ａの「断熱材の少なくとも地中に埋設される外側面を覆う外側防虫部」に相当する部分も、それに対応して、第１の断熱材４２を外側から覆う第１の外側防虫部２ａ、第２の断熱材４３を外側から覆う第２の外側防虫部２ｂ、第３の断熱材４４を外側から覆う第３の外側防虫部２ｃとで構成されている。第３の外側防虫部２ｃの下端から外側防虫部３が水平方向に延出し、該外側防虫部３の先端からコンクリート流入防止部４が上方に向けて延出していることは、上記した防虫成形体１と同様である。
【００４２】
この断熱基礎構造では、防虫成形体１Ａのコンクリート係止部５は、コンクリート基礎２０の拡大基礎部２１の中に埋設することとなるが、断熱材４０Ａに対する白蟻侵入防止効果、断熱材４０Ａおよび防虫成形体１Ａのコンクリート基礎２０に対する取り付け安定性などは、図６に示したものと変わりはない。
【００４３】
図８は、本発明による基礎断熱構造のさらに他の例を示している。この例では、コンクリート基礎（布基礎）２０の立ち上がり部における内側面に断熱材４０を取り付けている点で、図６に示したものと異なっている。そして、防虫成形体１の外側防虫部２は断熱板４０の側面全面を覆うように、その上端縁が断熱板４０の上端にまで達している。他の構成は図６に示したものと同じであり、同じ部材には同じ符号を付している。この構成の場合、図示のもののように、断熱材４０の上端面が建物の大引き５２に当接するような構造となることがある。その場合、白蟻は防虫成形体１の外側防虫部２に沿って登っていき、大引き５２などまで到達することも考えられる。そのような場合を想定して、断熱材４０の上端面を、防虫成形体１と同素材で作られている防虫板６０で覆うようにしている。
【００４４】
図９は、本発明による基礎断熱構造のさらに他の例を示している。この例では、コンクリート基礎がべた基礎２０Ａである点で、図６に示した基礎断熱構造と相違している。そして、べた基礎２０Ａの立ち上がり部２２Ａの外側側面の全面に断熱材４０が取り付けられている。他の構成は図６に示したものと同じであり、同じ部材には同じ符号を付している。
【図面の簡単な説明】
【００４５】
【図１】本発明による防虫成形体の一例を説明する図であり、図１ａは斜視図を、図１ｂは図１ａのｂ−ｂ線に沿う断面図。
【図２】防虫成形体の他の例を示す斜視図。
【図３】防虫成形体のさらに他の例を示す斜視図。
【図４】本発明による断熱基礎構造で好ましく用いられる接合材を示しており、図４ａは斜視図、図４ｂは図４ｂのｂ−ｂ線に沿う断面図。
【図５】コンクリート基礎が布基礎の場合のコンクリート打設用の型枠の一例を示す図。
【図６】本発明による断熱基礎構造の一形態を建物の一部と共に示す図。
【図７】本発明による断熱基礎構造の他の形態を建物の一部と共に示す図。
【図８】本発明による断熱基礎構造のさらに他の形態を建物の一部と共に示す図。
【図９】本発明による断熱基礎構造のさらに他の形態を建物の一部と共に示す図。
【符号の説明】
【００４６】
１、１Ａ、１Ｂ…防虫成形体、２…外側防虫部、３…下端防虫部、４…コンクリート流入防止部、５…コンクリート係止部、６…貫通孔、７…突起、８…第２のコンクリート係止部、１０…接合材、１１ａ、１１ｂ…嵌合係止部、２０…コンクリート基礎（布基礎）、２０Ａ…コンクリート基礎（べた基礎）、２１…布基礎の拡大基礎部、２２…布基礎の立ち上がり部、２４…土、３１、３２…打ち込み型枠、４０、４０Ａ…断熱材、５０…木造家屋、５１…木造家屋の木基礎、５６…外壁材
【図１】
0004630750.tif 000002
【図２】
0004630750.tif 000003
【図３】
0004630750.tif 000004
【図４】
0004630750.tif 000005
【図５】
0004630750.tif 000006
【図６】
0004630750.tif 000007
【図７】
0004630750.tif 000008
【図８】
0004630750.tif 000009
【図９】
0004630750.tif 000010